(57)【特許請求の範囲】
【請求項１】
鉄系材料で形成された支持架台上に断路器、接地開閉器、遮断器、サイリスタ起動用断路器を配置した主回路開閉装置において、上記サイリスタ起動用断路器の外部引き出し用導体を上記支持架台と上記遮断器の間から引き出すようにし、
上記サイリスタ起動用断路器は、遮断器の支持架台と対向した側に設けられた固定接触子と、上記支持架台上に水平方向に回動して上記固定接触子と接離可能に設けられた可動接触子で構成されていることを特徴とする主回路開閉装置。
【請求項２】
鉄系材料で形成された支持架台上に断路器、接地開閉器、遮断器、サイリスタ起動用断路器を配置した主回路開閉装置において、上記サイリスタ起動用断路器の外部引き出し用導体を上記支持架台と上記遮断器の間から引き出すようにし、
上記遮断器の支持架台と対向した側に設けられた固定接触子と、上記支持架台上に水平方向に回動して上記固定接触子と接離可能でかつサイリスタ起動回路と接続される第１の可動接触子、および上記支持架台上に水平方向に回動して上記固定接触子と接離可能でかつ接地側と接続される第２の可動接触子とを備えたことを特徴とする主回路開閉装置。
【発明の詳細な説明】
【０００１】
【発明の属する技術分野】
この発明は、例えば発電プラントにおいて発電機と変圧器の間に配置される主回路開閉装置に係わり、特にサイリスタ起動用断路器の構造に関するものである。
【０００２】
【従来の技術】
図５は、例えば特開平１１−５３９９９号公報に示された従来の一体形の主回路開閉装置を示す正面図、図６は図５の主回路開閉装置中のサイリスタ起動用断路器を示す側面図、図７は図５中のサイリスタ起動用断路器の開極状態を示す正面図である。
【０００３】
図５において、１は鉄系材料で形成された支持架台で、内部に計器用変成器、サージアブソーバ等の電気機器を収納した鉄系材料よりなるキュービクル２が配置されている。そして、支持架台１上には、外部と接続可能な端子３を有する断路器４、および遮断器５がそれぞれ絶縁支持台６，７を介して配置され、遮断器５の端部には外部と接続可能な端子８が設けられている。
【０００４】
９は遮断器５の支持架台１と対向した側に設けられた固定接触子、１０は支持架台１に絶縁部材１１を貫通して固定接触子９と接離可能に配置された可動接触子である。そして、上記９と１０でサイリスタ起動用断路器１２が形成される。１３は可動接触子１０から外部に引き出される導体で、支持架台１を貫通して図示しないサイリスタ起動装置と接続されている。
【０００５】
また、図６において、１４は操作制御箱で、操作軸１５によって可動接触子１０を固定接触子９と接離させる操作装置１６が収納されている。
なお、図５における１７．１８はそれぞれ接地開閉器の可動接触子で、図示しない操作装置によって断路器４および遮断器５と接離される。また、１９は断路器４および遮断器５を被うカバーである。
【０００６】
サイリスタ起動用断路器１２は、図５および図６に示すように、可動接触子１０は操作装置１６により操作軸１５を介して軸方向に進退駆動され、固定接触子９と接離させる開閉動作が行われる。
【０００７】
このような主回路開閉装置は、断路器４は端子３を介して図示しない変圧器と、遮断器５は端子８を介して図示しない発電機回路と、サイリスタ起動用断路器１２は引き出し導体１３を介して図示しないサイリスタ起動装置とそれぞれ接続されている。
【０００８】
発電機を起動する際には、操作装置１６を駆動して可動接触子１０を図５に示すように固定接触子９と接触させて、サイリスタ起動用断路器１２の投入動作を行うことにより、サイリスタ起動装置から供給される電源により、引き出し導体１３に電流が流れる。
【０００９】
【発明が解決しようとする課題】
図５に示すように断路器４、遮断器５、接地装置１７，１８サイリスタ起動用断路器１２を一体にした主回路開閉装置においては、絶縁距離を確保した上ですべての機器を主回路と同一の支持架台１上に配置することは、スペース上困難であるため、サイリスタ起動用断路器１２を支持架台１内を通して外部に引き出す必要があった。
【００１０】
また、サイリスタ起動用断路器１２は、可動接触子１０は円筒形状のため、直線運動による開閉動作とする必要があるので、可動接触子１０と固定接触子９との開極距離を十分な距離に確保するためには、支持架台１を貫通する経路によりその回路を構成する必要があった。
【００１１】
このため、外部へ引出す接続導体１３は鉄系材料で形成された支持架台１を貫通するので、引出し導体１３周辺が磁界の影響を受け、支持架台１が局部的に発熱するという問題点があった。
また、支持架台１の発熱を防止するために、ステンレス等の高価な非磁性材料を用いると装置全体の価格が上昇する。
【００１２】
この発明は、上記のような問題点を解消するためになされたもので、支持架台を非磁性材料で構成する必要なく安価な主回路開閉装置を得ることを目的とする。
【００１３】
【課題を解決するための手段】
この発明の請求項１に係わる主回路開閉装置は、鉄系材料で形成された支持架台上に断路器、接地開閉器、遮断器、サイリスタ起動用断路器を配置した主回路開閉装置において、サイリスタ起動用断路器の外部引き出し用導体を支持架台と遮断器の間から引き出すようにし、
上記サイリスタ起動用断路器は、遮断器の支持架台と対向した側に設けられた固定接触子と、上記支持架台上に水平方向に回動して上記固定接触子と接離可能に設けられた可動接触子で構成されているものである。
【００１４】
また、この発明の請求項２に係わる主回路開閉装置は、鉄系材料で形成された支持架台上に断路器、接地開閉器、遮断器、サイリスタ起動用断路器を配置した主回路開閉装置において、上記サイリスタ起動用断路器の外部引き出し用導体を上記支持架台と上記遮断器の間から引き出すようにし、
遮断器の支持架台と対向した側に設けられた固定接触子と、支持架台上に水平方向に回動して固定接触子と接離可能でかつサイリスタ起動回路と接続される第１の可動接触子、および支持架台上に水平方向に回動して固定接触子と接離可能でかつ接地側と接続される第２の可動接触子とを備えたものである。
【００１５】
【発明の実施の形態】
実施の形態１．
図１は、この発明の実施の形態１に係わる主回路開閉装置の構成を示す正面図、図２は図１中のサイリスタ起動用断路器の構成および動作を示す側面図である。
【００１６】
図１において、３１は支持架台で、内部に計器用変成器、サージアブソーバ、等の電気機器を収納したキュービクル３２が配置されている。そして、支持架台３１上には、外部と接続可能な端子３３を有する断路器３４、遮断器３５がそれぞれ絶縁支持台３６，３７を介して配置され、遮断器３５の端部には外部と接続可能な端子３８が設けられている。
【００１７】
３９は遮断器３５の支持架台３１と対向した側に設けられた固定接触子、４０は支持架台３１に絶縁部材４１を貫通して配置され、固定接触子３９と接離可能に支持架台３１と遮断器３５との間で、水平方向に図中矢印で示すように回動される可動接触子である。そして、上記３９と４０でサイリスタ起動用断路器４２が形成される。４３は可動接触子４０と接続され支持架台３１と遮断器３５との間から外部に引き出す導体、４４は遮断器３５と接離される接地開閉器の可動接触子、４５は断路器３４と接離される接地開閉器の可動接触子、４６は断路器３４および遮断器３５を被うカバーである。
【００１８】
また、４７は操作制御箱で図２に示すように、操作軸４８によって可動接触子４０を回動させて固定接触子３９と接離させる操作装置４９が収納されている。
【００１９】
サイリスタ起動用断路器４２は、可動接触子４０は操作装置４９により操作軸４８を介して水平方向に回動され、固定接触子３９と接離させる開閉動作が行われる。
【００２０】
このような主回路開閉装置は、断路器３４は端子３３を介して図示しない変圧器と、遮断器３５は端子３８を介して図示しない発電機回路と、サイリスタ起動用断路器４２は引き出し導体４３を介して図示しないサイリスタ起動装置とそれぞれ接続されている。
【００２１】
発電機を起動する際には、操作装置４９を駆動して可動接触子４０を固定接触子３９と接触させて、サイリスタ起動用断路器４２の投入動作を行うことにより、サイリスタ起動装置から供給される電源により発電機に電流が供給される。このとき、充電部となる可動接触子４０および接続導体４３は支持架台３１と遮断器３５との間に存在するので、支持架台３１に磁界の影響を与えることはない。
【００２２】
以上のように実施の形態１によれば、サイリスタ起動用断路器４２の可動接触子４０および引き出し導体４３を、支持架台３１と遮断器３５との間に配置した構成としたので、支持架台３１の発熱を防止することができるので、高価な非磁性材料を用いる必要もなくなり、安価な装置を提供することができる。
【００２３】
実施の形態２．
図３および図４はそれぞれこの発明の実施の形態２に係わる主回路開閉装置中のサイリスタ起動用断路器の構成および動作を示す側面図である。
【００２４】
サイリスタ起動用断路器４２は、遮断器３５の下部に配置された固定接触子３９と、この固定接触子３９と図中矢印で示す回動によって接離される第１の可動接触子４０を操作軸４８を駆動する操作装置４９によって接離動作させるとともに、接地用の回動可能な第２の可動接触子５０を、操作軸５１を駆動する操作装置５２によって固定接触子３９と接離動作させるようにしたものである。
【００２５】
以上のように実施の形態２によれば、サイリスタ起動用断路器４２の第１の可動接触子４０と接地用の第２の可動接触子５０の構造を固定接触子３９の中心軸と線対称でかつ同じ動作方式とし、さらに遮断器３５下部の固定接触子３９を共有させるようにしたので、安価でコンパクトな主回路開閉装置を提供することができる。
【００２６】
【発明の効果】
この発明の請求項１によれば、鉄系材料で形成された支持架台上に断路器、接地開閉器、遮断器、サイリスタ起動用断路器を配置した主回路開閉装置において、サイリスタ起動用断路器の外部引き出し用導体を支持架台と遮断器の間から引き出すようにし、
上記サイリスタ起動用断路器は、遮断器の支持架台と対向した側に設けられた固定接触子と、上記支持架台上に水平方向に回動して上記固定接触子と接離可能に設けられた可動接触子で構成されているものであるので、安価な主回路開閉装置を提供することができる。
【００２７】
また、この発明の請求項２によれば、鉄系材料で形成された支持架台上に断路器、接地開閉器、遮断器、サイリスタ起動用断路器を配置した主回路開閉装置において、上記サイリスタ起動用断路器の外部引き出し用導体を上記支持架台と上記遮断器の間から引き出すようにし、
遮断器の支持架台と対向した側に設けられた固定接触子と、支持架台上に水平方向に回動して固定接触子と接離可能でかつサイリスタ起動回路と接続される第１の可動接触子、および支持架台上に水平方向に回動して固定接触子と接離可能でかつ接地側と接続される第２の可動接触子とを備えた構成としたので、安価でコンパクトな主回路開閉装置を提供することができる。
【図面の簡単な説明】
【図１】  この発明の実施の形態１に係わる主回路開閉装置の構成を示す断面図である。
【図２】  図１中のサイリスタ起動用断路器の側面図である。
【図３】  この発明の実施の形態２に係わる主回路開閉装置中のサイリスタ起動用断路器の構成および動作を示す側面図である。
【図４】  この発明の実施の形態２に係わる主回路開閉装置中のサイリスタ起動用断路器の構成および動作を示す側面図である。
【図５】  従来の主回路開閉装置を示す断面図である。
【図６】  図４中のサイリスタ起動用断路器の側面図である。
【図７】  図４中のサイリスタ起動用断路器の閉極状態を示す正面図である。
【符号の説明】
３１  支持架台、３４  断路器、３５  遮断器、４２  サイリスタ起動用断路器、
４３  引き出し用導体、４４，４５  接地開閉器。
【図１】
0003893034.tif 000002
【図２】
0003893034.tif 000003
【図３】
0003893034.tif 000004
【図４】
0003893034.tif 000005
【図５】
0003893034.tif 000006
【図６】
0003893034.tif 000007
【図７】
0003893034.tif 000008